(57)【要約】  第１の映像信号と第２の映像信号とのそれぞれに対し、設定輝度に従った要求輝度を前記バックライトの色毎に算出し、算出結果に基づいて、第１の映像信号に対応する要求輝度と第２の映像信号に対応する要求輝度とのうち高い要求輝度を色毎に目標輝度として得る算出部（１３）と、得られた各色の目標輝度に従って当該各色のバックライトを駆動するバックライト駆動部（１５）と、要求輝度と目標輝度とを比較し、目標輝度より低い映像信号に対応する要求輝度を、色毎に検出する検出部（１６）と、検出結果に従って、目標輝度より低い映像信号に応じた画像が暗くなるように、各色に対して調整する明るさ調整部（１７、１８）と、を有する。
2012164688.tif 000002
【特許請求の範囲】
【請求項１】
異なる原色のバックライトが複数設けられ、当該バックライトによって液晶パネルを表示背面から照射してカラー画像を表示する表示装置であって、
第１の映像信号と第２の映像信号の２つの画像を１画面に表示する表示部と、
第１の映像信号と第２の映像信号の白点の輝度及び色温度を設定する輝度色温度設定部と、
前記第１の映像信号と前記第２の映像信号とのそれぞれに対し、前記設定輝度に従った要求輝度を前記バックライトの色毎に算出し、算出結果に基づいて、前記第１の映像信号に対応する要求輝度と前記第２の映像信号に対応する要求輝度とのうち高い要求輝度を前記色毎に目標輝度として得る算出部と、
前記算出部によって得られた各色の目標輝度に従って当該各色のバックライトを駆動するバックライト駆動部と、
前記要求輝度と前記目標輝度とを比較し、前記第１の映像信号に対応する要求輝度と前記第２の映像信号に対応する要求輝度とのうち前記目標輝度より低い映像信号に対応する要求輝度を、前記色毎に検出する検出部と、
前記検出部の検出結果に従って、前記第１の映像信号に対応する要求輝度と前記第２の映像信号に対応する要求輝度とのうち前記目標輝度より低い映像信号に応じた画像が暗くなるように、各色に対して調整する明るさ調整部と、
を有することを特徴とする表示装置。
【請求項２】
異なる原色のバックライトが複数設けられ、当該バックライトによって液晶パネルを表示背面から照射してカラー画像を表示する表示装置における表示方法であって、
第１の映像信号と第２の映像信号の白点の輝度及び色温度を設定する入力を受け付け、
前記第１の映像信号と前記第２の映像信号とのそれぞれに対し、前記設定輝度に従った要求輝度を前記バックライトの色毎に算出し、算出結果に基づいて、前記第１の映像信号に対応する要求輝度と前記第２の映像信号に対応する要求輝度とのうち高い要求輝度を前記色毎に目標輝度として得て、
前記得られた各色の目標輝度に従って当該各色のバックライトを駆動し、
前記要求輝度と前記目標輝度とを比較し、前記第１の映像信号に対応する要求輝度と前記第２の映像信号に対応する要求輝度とのうち前記目標輝度より低い映像信号に対応する要求輝度を、前記色毎に検出し、
前記検出結果に従って、前記第１の映像信号に対応する要求輝度と前記第２の映像信号に対応する要求輝度とのうち前記目標輝度より低い映像信号に応じた画像が暗くなるように、各色に対して調整し、
調整結果に応じて第１の映像信号と第２の映像信号の２つの画像を１画面に表示する
ことを特徴とする表示方法。
【発明の詳細な説明】
【技術分野】
【０００１】
本発明は、異なる色の原色バックライトが複数設けられた表示装置に関する。
【背景技術】
【０００２】
厳密な色再現が求められる産業分野では、照明環境に応じた被写体の色再現が求められる。また、標準照明環境は、例えば、印刷分野で色温度5000K、HDTV（high-definition television）では6500Kであり、利用分野毎に異なる。
このような異なる利用分野における色味を確認するため、表示装置では白点設定の異なる複数の画像を１つの画面内において同時表示することが求められている。【０００３】
第１の映像信号に対応する画面である画面Ａの輝度が例えば80cd/m2であり、第２の映像信号に対応する画面である画面Ｂの輝度が例えば70cd/m2のように、異なる白点輝度色度を持つ複数画面を１つの画面内に同時に表示する表示装置を例に説明する。通常、異なる色のバックライトが組み合わされた多色バックライトを持つ表示装置では、バックライト各色の光出力を変化させることで、白点の輝度色度（例えば、輝度80cd/m2，色温度5000K）の調節を行う。【０００４】
よって平易な実装として、バックライトを最も設定輝度が高い画面Aの輝度色度に調節し、輝度が低い画面群（画面Ｂ）は、映像信号を暗く調節することが考えられる。【０００５】
なお、下記の特許文献１には、複数の映像信号に基づいて、１つの画面上に、２つの画像を表示する技術が記載されている。
【先行技術文献】
【特許文献】
【０００６】
【特許文献１】特開２００４−０９４２３１号公報
【発明の概要】
【発明が解決しようとする課題】
【０００７】
しかし、上述した手法では、画面Bの輝度が低下する問題があるとともに、色度が合わないという問題があり、画面Bで希望された白点を、画面Ａとともに同時表示することはできない。【０００８】
以下、画質設定の異なる画面Ａ・Ｂ（図８）を一つの表示装置で表示する例を述べる。このとき、輝度の低い画面側、すなわち、画面Ｂの表示状態を図６、図７に示す。
図６は、２つの画面を１つの表示装置によって表示した場合におけるバックライトの波長と光出力との関係を表す図である。バックライトの波長としては、青色（Ｂ）、緑色（Ｇ）、赤色（Ｒ）の３色の場合について図示されている。
この図では、バックライトの輝度色度を画面Ａ側にあわせ、画面B側の映像を暗くして輝度（ここでは緑光出力）を調節した場合を表す。このとき、画面Bに表示された白色に含まれるＲ、Ｇ、Ｂの光出力の比は、利用者の白点設定値（画面B要求輝度）と異なる。すなわち、画面Ｂにおいて利用者の白点設定値と実際の色度とが合っていない。ここでは、画面Ｂにおける要求輝度に対応する光出力の状態（符号ａ、ｂ、ｃ）と、実際に画面Ｂに表示された画像を出力した際の光出力の状態（符号ｅ、ｆ、ｇ）とが一致していない。【０００９】
図７は、図６の状態からさらに映像信号を調節して色度を設定値にあわせた場合における、バックライトの波長と光出力との関係を表す図である。ここでは、画面Bにおいて表示された白色に含まれるＲ、Ｇ、Ｂの光出力（符号ａ、ｂ、ｃ）の比は、利用者の白点設定値と一致しているが、実際に画面Bに表示された際の各色の光出力（符号ｄ、ｅ、ｆ）が大きく不足し、輝度が低下している。【００１０】
これら不具合の原因は、画面の白色に含まれるべきバックライト各色の輝度を計算したとき、輝度が高い画面Aであっても、画面Bより暗いバックライト色があるためである。図８は、画面毎のバックライト要求輝度を表す図である。この図に示すように、画面Bにおける要求輝度に対応する光出力（符号ａ、ｂ、ｃ）と、画面Aにおける要求輝度に対応する光出力（符号ｄ、ｅ、ｆ）とのうち、バックライトは、画面Ａにおける要求輝度に対応する光出力（符号ｄ、ｅ、ｆ）によってバックライトを駆動する。そうすると、青色においては、画面Ａの要求輝度に対応する光出力より画面Ｂの要求輝度に対応する光出力の方が高いため、輝度が不足する。【００１１】
解決しようとする問題点は、複数の映像信号に応じた画面を１つの表示装置の画面に表示する場合に、所望の白点を同時に表示することができない点である。
【課題を解決するための手段】
【００１２】
本発明は、異なる原色のバックライトが複数設けられ、当該バックライトによって液晶パネルを表示背面から照射してカラー画像を表示する表示装置であって、第１の映像信号と第２の映像信号の２つの画像を１画面に表示する表示部と、第１の映像信号と第２の映像信号の白点の輝度及び色温度を設定する輝度色温度設定部と、前記第１の映像信号と前記第２の映像信号とのそれぞれに対し、前記設定輝度に従った要求輝度を前記バックライトの色毎に算出し、算出結果に基づいて、前記第１の映像信号に対応する要求輝度と前記第２の映像信号に対応する要求輝度とのうち高い要求輝度を前記色毎に目標輝度として得る算出部と、前記算出部によって得られた各色の目標輝度に従って当該各色のバックライトを駆動するバックライト駆動部と、前記要求輝度と前記目標輝度とを比較し、前記第１の映像信号に対応する要求輝度と前記第２の映像信号に対応する要求輝度とのうち前記目標輝度より低い映像信号に対応する要求輝度を、前記色毎に検出する検出部と、前記検出部の検出結果に従って、前記第１の映像信号に対応する要求輝度と前記第２の映像信号に対応する要求輝度とのうち前記目標輝度より低い映像信号に応じた画像が暗くなるように、各色に対して調整する明るさ調整部と、を有することを特徴とする。【００１３】
また、本発明は、異なる原色のバックライトが複数設けられ、当該バックライトによって液晶パネルを表示背面から照射してカラー画像を表示する表示装置における表示方法であって、第１の映像信号と第２の映像信号の白点の輝度及び色温度を設定する入力を受け付け、前記第１の映像信号と前記第２の映像信号とのそれぞれに対し、前記設定輝度に従った要求輝度を前記バックライトの色毎に算出し、算出結果に基づいて、前記第１の映像信号に対応する要求輝度と前記第２の映像信号に対応する要求輝度とのうち高い要求輝度を前記色毎に目標輝度として得て、前記得られた各色の目標輝度に従って当該各色のバックライトを駆動し、前記要求輝度と前記目標輝度とを比較し、前記第１の映像信号に対応する要求輝度と前記第２の映像信号に対応する要求輝度とのうち前記目標輝度より低い映像信号に対応する要求輝度を、前記色毎に検出し、前記検出結果に従って、前記第１の映像信号に対応する要求輝度と前記第２の映像信号に対応する要求輝度とのうち前記目標輝度より低い映像信号に応じた画像が暗くなるように、各色に対して調整し、調整結果に応じて第１の映像信号と第２の映像信号の２つの画像を１画面に表示することを特徴とする。
【発明の効果】
【００１４】
白点輝度色度設定の異なる複数映像を、所望の白点に従って、１つの表示装置の表示画面で表示できる。
【図面の簡単な説明】
【００１５】
【図１】本実施形態における表示装置１の構成を表す概略ブロック図である。
【図２】表示装置１に表示される画面の一例を示す図である。
【図３】多色輝度生成比較部１３によって白色設定情報から変換された多色の要求輝度を表す図である。
【図４】画面毎の映像信号の明るさを表す図である。
【図５】画面Bにおける要求輝度に対応する光出力と表示部１９に表示される画面Bの光出力との関係を表す図である。
【図６】２つの画面を１つの表示装置によって表示した場合におけるバックライトの波長と光出力との関係を表す図である。
【図７】映像信号を調節して色度を設定値にあわせた場合における、バックライトの波長と光出力との関係を表す図である。
【図８】画面毎のバックライト要求輝度を表す図である。
【発明を実施するための形態】
【００１６】
以下、本発明における表示装置ついて、図面を用いて説明する。図１は、本実施形態における表示装置１の構成を表す概略ブロック図である。
表示装置１は、液晶パネルを表示背面からＲ（赤色）、Ｇ（緑色）、Ｂ（青色）の原色のバックライトによって照明し、カラー画像を表示する表示装置である。ここでは、表示装置１は、１つの表示画面上に、第１の映像信号に応じた画面と第２の映像信号に応じた画面との両表を表示する機能を有する。
【００１７】
図２は、表示装置１に表示される画面の一例を示す図である。この図に示すように、１つの表示画面上に、第１の映像信号に基づく画面（符号Ａ）と、第２の映像信号に基づく画面（符号Ｂ）との両方を表示する機能を有する。この図では、異なる白点を持つ複数の画面が同じ画面上に表示された場合を表す。第１の映像信号に基づく画面（符号Ａ）には、輝度が８０ｃｄ／ｍ２、色温度が５０００Kで画像が表示され、第２の映像信号に基づく画面（符号Ｂ）には、輝度が７０ｃｄ／ｍ２、色温度が９３００Kで画像が表示される。
【００１８】
第１画面白点設定情報記憶部１０は、第１の映像信号に対応する画面である第１画面に対して設定される白色設定情報を記憶する。第２画面白点設定情報記憶部１１は、第２の映像信号に対応する画面である第２画面に対して設定される白色設定情報を記憶する。ここでは、表示装置１を利用するユーザによって入力される指示に応じて、第１画面白点設定情報記憶部１０及び第２画面白点設定情報記憶部１１に白色設定情報が記憶される。白色設定情報とは、白点輝度色度を表す情報であり、例えば、第１画面白点設定情報記憶部１０には、輝度「80cd/m2」、が記憶され、第２画面白点設定情報記憶部１１には、輝度「70cd/m2」が記憶される。ここでは、白色設定情報として、第１画面白点設定情報記憶部１０には、色温度「５０００K」、第２画面白点設定情報記憶部１１には、色温度「９３００K」が記憶される。
【００１９】
白点設定受信部１２は、第１画面白点設定情報記憶部１０に記憶される白色設定情報（♯０）と第２画面白点設定情報記憶部１１に記憶される白色設定情報（♯１）とを読み出す。
【００２０】
多色輝度生成比較部１３は、白色設定受信部１２が読み出した各白色設定情報（♯０、♯１）を入力し、入力した各白色設定情報に基づいて、画面毎の白点設定情報を、多色の要求輝度（♯２）に変換し、画面毎の要求輝度を比較する。ここで、多色の要求輝度とは、例えば、バックライトのRGB要求輝度である。ここでは、画面毎かつ、バックライトの色毎に、要求輝度を得る。
【００２１】
図３は、多色輝度生成比較部１３によって白色設定情報から変換された多色の要求輝度を表す図である。この図において、縦軸は光出力を表し、横軸は、バックライト波長（B、G、R）を表す。
多色輝度生成比較部１３は、第１画面白点設定情報記憶部１０に記憶された白色設定情報から、画面Aの要求輝度へ変換する。多色輝度生成比較部１３は、第１の映像信号と第２の映像信号とのそれぞれに対し、設定輝度に従った要求輝度をバックライトの色毎に算出し、算出結果に基づいて、第１の映像信号に対応する要求輝度と第２の映像信号に対応する要求輝度とのうち高い要求輝度を色毎に目標輝度として得る。
【００２２】
より具体的に、多色輝度生成比較部１３は、青色のバックライトの光出力（符号ａ）、緑色のバックライトの光出力（符号ｂ）、赤色のバックライトの光出力（符号ｃ）の値を画面Ａにおける要求輝度として得る。
また、多色輝度生成比較部１３は、第２画面白点設定情報記憶部１１に記憶された白色設定情報から、画面Ｂの要求輝度へ変換する。多色輝度生成比較部１３は、青色のバックライトの光出力（符号ｄ）、緑色のバックライトの光出力（符号ｅ）、赤色のバックライトの光出力（符号ｆ）の値を、画面Ｂにおける要求輝度として得る。
【００２３】
また、多色輝度生成比較部１３は、画面毎に得られた要求輝度をそれぞれの色について比較し、色毎に最も高い輝度を選択し，これをバックライト目標輝度としてバックライト輝度選択部１４へ出力する。例えば、図３において、多色輝度生成比較部１３は、画面Ａと画面Ｂとの要求輝度を、青色、緑色、赤色のそれぞれの色毎に比較し、要求輝度に対応する光出力が、画面Ａと画面Ｂとのどちらが大きいかについて比較する。この図において、青色では、画面Ｂの要求輝度に対応する光出力（符号ｄ）が大きく、緑色では、画面Ａの要求輝度に対する光出力（符号ｂ）が大きく、赤色では、画面Ａの要求輝度に対する光出力（符号ｃ）が大きい。従って、この場合、多色輝度生成比較部１３は、青色においては画面Ｂの要求輝度（符号ｄ）、緑色においては画面Ａの要求輝度（符号ｂ）、赤色においては画面Ａの要求輝度（符号ｃ）が大きいと判定し、判定結果をバックライト目標輝度としてバックライト輝度選択部１４へ出力する。
【００２４】
また、多色輝度生成比較部１３は、要求輝度と目標輝度とを比較し、第１の映像信号に対応する要求輝度と第２の映像信号に対応する要求輝度とのうち目標輝度より低い映像信号に対応する要求輝度を、色毎に検出する。言い換えると、多色輝度生成比較部１３は、画面毎の要求輝度と、上述の得られたバックライト目標輝度とを色毎に比較し、要求輝度がバックライト目標輝度より低い色を検出する。
【００２５】
図３において、多色輝度生成比較部１３は、画面Ａの青色の光出力（符号ａ）、画面Ｂの緑色の光出力（符号ｅ）、画面Ｂの赤色の光出力（符号ｆ）を検出する。多色輝度生成比較部１３は、この検出結果を映像色明るさ計算部１６へ出力する。
【００２６】
バックライト輝度選択部１４は、多色輝度生成比較部１３から出力されるバックライト目標輝度を得て、バックライト駆動回路１５へ出力する。
【００２７】
バックライト駆動回路１５は、バックライト輝度選択部１４から出力されたバックライト目標輝度に応じた輝度になるように、バックライトの各色（R、G、B）を駆動する。ここでは、青色の目標輝度としては、画面Ｂの要求輝度（図３符号ｄ）を用い、緑色の目標輝度としては画面Ａの要求輝度（図３符号ｂ）を用い、赤色の目標輝度としては画面Ａの要求輝度（符号ｃ）を用い、この目標輝度となるように、Ｒ、Ｇ、Ｂの各色を駆動する。この駆動方式は、種々あるが、例えば、バックライトに供給する電力をPWM（パルス幅変調）によって駆動する方式がある。また、ここで駆動されるバックライトは、例えば、R、G、Bのそれぞれの色に応じたLED（発光ダイオード）である。
【００２８】
映像色明るさ計算部１６は、多色輝度生成比較部１３からの出力に基づいて、バックライト輝度より低い要求輝度であるバックライトの色に対応する画面の映像信号が暗くなるように、当該映像信号を各色について調整する。例えば、映像色明るさ計算部１６は、画面Ａの青色の光出力（図３符号ａ）、画面Ｂの緑色の光出力（図３符号ｅ）、画面Ｂの赤色の光出力（図３符号ｆ）について、映像信号を調節し暗く表示する。
【００２９】
図４は、画面毎の映像信号の明るさを表す図である。縦軸は、明るさを表しており、ここでは、信号入出力比（ゲイン）である。横軸は、映像信号の波長（青色、緑色、赤色）を表している。ここでは、バックライト目標輝度として、青色においては画面Ｂの要求輝度（図３符号ｄ）、緑色において画面Ｂの要求輝度（図３符号ｂ）、赤色においては画面Ａの要求輝度（符号ｃ）を用いてバックライトを駆動している。そのため、青色においては画面Ｂの明るさ、緑色においては画面Ａの明るさ、赤色においては画面Ａの明るさ、をそれぞれ、１とした場合における、青色においては画面Ａの明るさ、緑色においては画面Ｂの明るさ、赤色においては画面Ｂの明るさ、を算出し、得られた明るさに応じて、青色においては画面Ａの映像信号、緑色においては画面Ｂの映像信号、赤色においては画面Ｂの映像信号に応じた画像が暗くなるような明るさを算出する。例えば、発光色の色について、画面Ａと画面Ｂのバックライトの光出力の比に基づいて、映像信号の画像が暗くなるように算出する。
【００３０】
明るさ調整部１７は、映像色明るさ計算部１６の算出結果に基づいて、第１の映像信号（例えば、信号映像Ａ）の明るさを調整する。例えば、明るさ調整部１７は、映像色明るさ計算部１６から画面Ａの青色について明るさを暗くする算出結果が出力された場合、この出力される算出結果に従って、青色においては画面Ａ（映像信号Ａ）の明るさが暗くなるように映像信号を調整する。
【００３１】
明るさ調整部１８は、映像色明るさ計算部１６の算出結果に基づいて、第２の映像信号（例えば、信号映像Ｂ）の明るさを調整する。例えば、明るさ調整部１８は、映像色明るさ計算部１６から画面Ｂの緑色及び画面Ｂの赤色について明るさを暗くする算出結果が出力された場合、この出力される算出結果に従って、画面Ａ（映像信号Ｂ）の緑色の明るさ及び赤色の明るさが暗くなるように映像信号を調整する。
【００３２】
ここで、映像を暗く調節する際は、中間階調の調子変化が課題となる。しかし、明るさ調整部１７及び明るさ調整部１８は、例えば、映像信号に含まれるＲ、Ｇ、Ｂに対応する映像信号について、ガンマＬＵＴ（LookUpTable）を用いて映像信号を調整する。このように、対象の映像信号について暗くなるようにガンマ補正をすることにより、画質劣化を抑制することができる。また、ビデオアッテネータ/ブライトネス/コントラストなどの回路を用いることも可能である。なお、明るさ調整部１７及び明るさ調整部１８は、映像色明るさ計算部１６から明るさを暗くするように指示されなかった画面の色に対応する映像信号については、暗くする補正を行わなくてもよい。
【００３３】
表示部１９は、例えば液晶パネルであり、明るさ調整部１７によって調整された後の映像信号A、明るさ調整部１８によって調整された映像信号Bに応じた画像を表示する。
【００３４】
上述した実施形態によれば、画面Aと画面Bとの両方について、希望した白点で表示することができる。
【００３５】
図５は、画面Bにおける要求輝度に対応する光出力と表示部１９に表示される画面Bの光出力との関係を表す図である。この図では、画面Bの白色に含まれるR、G、Bの光出力を比較したものである。ここでは、設定値（要求輝度）の光出力と実際に表示部１９に表示された画像の表示状態とが、各色においてほぼ一致している。すなわち、異なる白点設定を持つ複数画面（画面A、画面B）のうち、低い輝度を持つ画面についても、正しく表示できている。
【００３６】
以上説明した実施形態によれば、バックライトの各色について、画面Aと画面Bとのうち、バックライトの要求輝度が高い方をバックライト目標輝度とし、バックライトを駆動するようにした。そして、バックライトの要求輝度が低い方に対応する映像信号について、暗くなるように調整するようにした。これにより、異なる白点設定を持つ複数画面（例えば、画面Aについては、輝度80cd/m2、色温度5000K、画面Bについては、輝度70cd/m2、色温度9300K）を同じ表示装置の１つの表示画面内に同時に表示することができる（例えば、図１）。
【００３７】
また、上述した実施形態によれば、目標画質を維持しつつバックライト出力を最小化できるため、表示装置の画質及び消費電力・経年劣化特性を改善することができる。
【００３８】
また、上述した実施形態においては、前述した多色輝度には、色数を含めて任意の色空間が選択できる。冗長性排除のためバックライトと同じ色数・色空間が適するが、簡略化のためにCIE1931XYZ色空間などを用いてもよい。
【００３９】
また、図１における表示装置１の機能を実現するためのプログラムをコンピュータ読み取り可能な記録媒体に記録して、この記録媒体に記録されたプログラムをコンピュータシステムに読み込ませ、実行することにより輝度色度管理を行ってもよい。なお、ここでいう「コンピュータシステム」とは、ＯＳや周辺機器等のハードウェアを含むものとする。
【００４０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００４１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４２】
本発明は、高精度な色再現を行う表示装置に関するものであり、特に、グラフィックデザイン・印刷所・医療用ディスプレイ等の分野において有効である。
【符号の説明】
【００４３】
１  表示装置
１０  第１画面白点設定情報記憶部
１１  第２画面白点設定情報記憶部
１２  白点設定受信部
１３  多色輝度生成比較部
１４  バックライト輝度選択部
１５  バックライト駆動回路
１６  映像色明るさ計算部
１７  明るさ調整部
１８  明るさ調整部
１９  表示部
【図１】
2012164688.tif 000003
【図２】
2012164688.tif 000004
【図３】
2012164688.tif 000005
【図４】
2012164688.tif 000006
【図５】
2012164688.tif 000007
【図６】
2012164688.tif 000008
【図７】
2012164688.tif 000009
【図８】
2012164688.tif 000010
【国際調査報告】
2012164688.tif 000011
2012164688.tif 000012
2012164688.tif 000013
2012164688.tif 000014